(57)【要約】装置は、例えば表面上での短い距離から、または長い距離からまたは長い距離上でのいずれか一方で、磁気結合共振を使用することで無線で電力が供給される。
2011518540.tif 000002
【特許請求の範囲】
【請求項１】
電力を与えられるための位置されるデバイスに対する(against)第１の表面を含む磁気結合共振システムと、前記第１の表面上の前記デバイスへ電力伝達装置の第１の効率で電力を提供することと、前記第１の表面上にない他のデバイスに、前記第１の効率より低い、電力伝達装置の第２の効率で電力を提供することと、前記第１の表面に隣接した送信アンテナ間の磁気結合共振を用いることで前記電力を受信する前記それぞれのデバイスと、少なくとも１つのデバイス中の受信アンテナを含むシステム。
【請求項２】
前記システムは前記第１の表面上の最高効率のために調整される請求項１のシステム。
【請求項３】
前記送信アンテナは前記パッドの材料の厚さに関して調整される請求項１のシステム。
【請求項４】
前記第１の表面上にない前記デバイスは、前記第１の表面から離れたインチである請求項１のシステム。
【請求項５】
前記第１の表面上にない前記デバイスは、前記第１の表面から離れたフィートである請求項１のシステム。
【請求項６】
前記第１の表面はデスクトップコンポーネントへ統合される請求項１のシステム。
【請求項７】
前記デスクトップコンポーネントはモニタのベース(base)である請求項６のシステム。
【請求項８】
前記デスクトップコンポーネントはランプのベース(base)である請求項６のシステム。
【請求項９】
前記デスクトップコンポーネントはモニタのベース(base)である請求項６のシステム。
【請求項１０】
前記第１の表面は前記第１の表面中のアンテナのコイルと平行である請求項１のシステム。
【請求項１１】
人の接近を検知して、人の前記接近を検知する状態で送信を終了することを可能にするデバイスをさらに含む請求項１のシステム。
【請求項１２】
前記デバイスのスイッチは、人の接近を検知するためにオンに切り替えられ、連続的に電力を送信するためにオフに切り替えられる請求項１１のシステム。
【請求項１３】
磁気結合共振を用いてデバイスに電力を供給する磁気的な結合共振システムと、
人の接近を検知し、かつ人の前記接近を検知する状態で送信を終了することを可能にする、前記磁気結合共振システムに連結されたデバイスと
を含むシステム。
【請求項１４】
前記デバイスのスイッチは、人の接近を検知するためにオンに切り替えられ、連続的に電力を送信するためにオフに切り替えられる請求項１３のシステム。
【請求項１５】
前記磁気結合共振システムは、充電されるための位置される装置に対する(against)第１の表面と、前記第１の表面上のデバイスへ電力伝達装置の第１の効率で電力を提供することと、前記第１の表面に隣接した送信アンテナ間の磁気結合共振を用いることで前記電力を受信する前記それぞれのデバイスと、少なくとも１つのデバイス中の受信アンテナとを含む請求項１３のシステム。
【請求項１６】
前記磁気結合共振システムは、前記第１の表面上にない他のデバイスに、前記第１の効率より低い、電力伝達装置の第２の効率で電力をさらに提供する請求項１５のシステム。
【請求項１７】
前記システムは前記第１の表面上の最高効率のために調整される請求項１６のシステム。
【請求項１８】
前記送信アンテナは前記パッドの材料の厚さに関して調整される請求項１６のシステム。
【請求項１９】
前記第１の表面上にない前記デバイスは前記第１の表面から１２インチ未満離れている請求項１６のシステム。
【請求項２０】
前記第１の表面上にない前記デバイスは前記第１の表面から３フィート未満離れている請求項１６のシステム。
【請求項２１】
前記第１の表面はデスクトップコンポーネントへ統合される請求項１６のシステム。
【請求項２２】
前記デスクトップコンポーネントはモニタのベース(base)である請求項２１のシステム。
【請求項２３】
前記デスクトップコンポーネントはランプのベース(base)である請求項２１のシステム。
【請求項２４】
前記デスクトップコンポーネントはモニタのベース(base)である請求項２１のシステム。
【請求項２５】
前記第１の表面は前記第１の表面の中でアンテナのコイルと平行である請求項１６のシステム。
【請求項２６】
電力を与えられるための位置されるデバイスに対する(against)第１の表面に対抗して前記第１のデバイスを静止させることによって磁気結合共振システムを使用することで、無線で第１のデバイスに第１の電力を供給することを含み、前記第１の電力を供給することは、前記第１の表面上のデバイスへ電力伝達装置の第１の効率で電力を供給することであり、前記第１の効率より低い、電力伝達装置の第２の効率で無線で第２のデバイスに第２の電力を供給することと、前記第１表面上にない前記第２のデバイスと、前記第１の表面に隣接した送信アンテナ間の磁気結合共振を用いることで前記電力を受信する前記それぞれの第２のデバイスと、少なくとも１つのデバイス中の受信アンテナとを含む方法。
【発明の詳細な説明】
【優先権の主張】
【０００１】
本願は、全内容が参照によってこのようにして組込まれた2008年4月21日出願の仮出願61/046,757からの優先権を主張する。
【背景技術】
【０００２】
我々の前の出願および仮出願は、開示の全内容がこのようにして参照によって組込まれた2008年1月22日出願の「無線装置および方法」と題された米国特許出願番号12/018,069を含む一方で、これに制限されず、送信機と受信機の間の力の無線転送について記述する。
【０００３】
送受信アンテナには共振アンテナが好適であり、そしてそれらは例えば、共振の10%、共振の15%あるいは共振の20%以内で十分に共振する。アンテナは、アンテナ用の利用可能空間が制限されているかもしれないところで、それがモバイルのハンドヘルド装置に適合することを可能にするための小さなサイズかもしれない。実施例は、送受信される電力のための特定の特性および環境のための高性能アンテナについて記述する。
【０００４】
１つの実施例は、移動する(travelling)電磁波の形をしている空きスペースへエネルギーを送るのではなく、送信アンテナの近い領域(field)にエネルギーを格納することにより、２本のアンテナ間の効率的な電力伝達装置(power transfer)を使用する。この実施例は、アンテナの線質係数(quality factor)(Q)を増加させる。これは放射抵抗(Rr)および損失抵抗(Rl)を縮小することができる。
【０００５】
発明者は、このシステムによって引き起こされた解決法(solutions)の多くが、電力送信機から受信機まである距離をおいた電力送出(power delivery)、例えばインチかフィート以上の電力送出を含むことに気付いた。我々の同時係争中の出願で開示された技術は、合理的な効率、例えば3〜5フィートの間で例えば5から40%までの効率での電力の送出を可能にする。
【発明の概要】
【０００６】
しかしながら、多くのユーザおよび／またはメーカーは、より高い電力送出効率を実際に好み、短距離でのこの電力送出を進んで受け入れることが気づかれた。例えば、その電力送出解決法が使用するのにはそれほど便利でなくても、多数が90%以上効率的だった電力送出解決法を好むだろう。発明者は、ある距離をおいての電力送出に使用される共振(resonant)が、密接な接触状況の中で使用された時に非常に高い性能を生むために実際に使用されることができるかもしれないことに気づいた。
【０００７】
態様は、電力を与えられるデバイスを受け入れることに対する第１のパッド(pad)表面を含む磁気結合共振システムを記述する。デバイスは、パッド表面上のデバイスに電力伝達装置の第１の効率で電力を供給する磁気結合共振を使用する。電力は、前記第１の表面上にない他のデバイス、例えば12インチ未満か3フィート未満による例えばパッドからの遠隔であるデバイスに、前記第１の効率より低い、電力伝達装置の第２の効率で提供される。
【０００８】
デバイスおよびパッドは、コイルによって形成された誘導子(inductor)の形状をなすアンテナを備えた磁気共振回路、および適切な周波数に合わせられた別個のコンデンサ(separate capacitor)をそれぞれ使用することができる。
【０００９】
本願は、無線デスクトップを形成するためのこれらの技術の使用を開示する。
【００１０】
無線デスクトップは、通信端末、携帯電話、あるいは周辺機器に基づいたコンピュータのような個人の電子装置を充電するために使用することができ、これらの充電されたデバイスは、無線エネルギー伝達技術を使用して、無線なしで、電力が供給または充電の一方または両方である。
【図面の簡単な説明】
【００１１】
【図１】図１は、アイテム(items)に無線の電力を与えた無線デスクトップを示す。
【図２】図２は等価回路を示す。
【図３Ａ】図３Ａは、展開式のおよびそうでないパッド上のシングル受信機を示す。
【図３Ｂ】図３Ｂは、展開式のおよびそうでないパッド上のシングル受信機を示す。
【図３Ｃ】図３Ｃは、展開式のおよびそうでないパッド上のシングル受信機を示す。
【図３Ｄ】図３Ｄは、展開式のおよびそうでないパッド上のシングル受信機を示す。
【図３Ｅ】図３Ｅは、展開式のおよびそうでないパッド上のシングル受信機を示す。
【図３Ｆ】図３Ｆは、展開式のおよびそうでないパッド上のシングル受信機を示す。
【図４】図４は、単一の受信機に関する効率を示す。
【図５Ａ】図５Ａは、多数の受信機を備えたパッドを示す。
【図５Ｂ】図５Ｂは、多数の受信機を備えたパッドを示す。
【図５Ｃ】図５Ｃは、多数の受信機を備えたパッドを示す。
【図５Ｄ】図５Ｄは、多数の受信機を備えたパッドを示す。
【図６】図６は、多数の受信機に関する伝達効率を示す。
【図７】図７は、無給電を用いた同一平面上のフィールド結合(coplanar field coupling)を示す。
【図８】図８は、無給電デスクトップ(desktop parasitic)を示す。
【発明を実施するための形態】
【００１２】
実施例は磁界アンテナを使用することで、結合磁気共振を使用する。実施例はどんな周波数でも動作するかもしれないが、２つの実施例は、LF(例えば135kHz)、あるいはHF(例えば13.56MHz)で、ただし短い距離をおいて動作するかもしれない。１つの実施例は、アンテナとしてコンデンサと直列のループコイルを使用する。１つの実施例では、受信機部(例えば携帯機器)は、パッドに直接置かれるように意図される。この実施例では、送信機と受信機の間に比較的小さな一定距離がある。その一定距離は、例えば、パッドの材料およびハウジング(housing)の材料の厚さによって定められるかもしれない。これは、送信機と受信機を形成するコイル間で、1センチメートル未満あるいは10ミリメートル未満かもしれない。距離は一定であり、したがって、パッドに対して押された時、アイテムは常にアンテナからの同じ距離にある。
【００１３】
その一定距離は、パッドの形状寸法(geometry)および充電されたアイテムの形状寸法に依存する。実施例では、アンテナは、その一定距離をおいて最大のレスポンスを持つために調整されることができる。この同調することは、この明細書に記述された他の同調オペレーションと同様に、例えば、試行錯誤によって算出した後に最適化することができる。
【００１４】
しかしながら、他の近接充電システムと異なり、このシステムは、ある距離、例えばアンテナからのインチまたはフィートをおいて位置するアイテムもまた充電することができる。アンテナは、ある距離をおいて充電する場合にそれほど効率的ではないが、その距離をおいてやはり電力を提供するだろう。それは、極めて特有(very specific)の一定の距離および／またはオリエンテーション(orientation)以外のすべてで基本的に充電を供給しない純粋な誘導のシステム(inductive systems)と異なり、充電パッドに直接置かれないアイテムの充電を可能にする。
【００１５】
これは、充電パッド上でのデバイスの配置の中でより少ない精度を使用する能力を含むある利点を生む。デバイスがパッドから離れても、それは近傍からの低レベルの充電をまだ受信するだろう。低レベル充電は、例えば、デバイスがパッドに正確に置かれない場合さえ、例えば0.05ワットと0.25ワットの間にある場合がある。
【００１６】
デスクトップ空間を効率的に利用し、かつデスクトップ配線を縮小するために、電力送信機／電力ベース(power base)のアンテナは、デスクトップに通常存在するホスト装置に組み入れられるかもしれない。実施例は、PCモニタかランプのいずれかを含んでいるとして、そのホスト装置について記述するが、プリンタ、スキャナ、ファックス装置、電話、ルータなどのような他のアイテムになりえる。
【００１７】
送信機ユニットは、このホスト装置において既に既存の110/230VACサプライ(VAC supply)から電力が直接供給されるかもしれず、したがって、余分な電力コードや電源接続を要しない。
【００１８】
１つの実施例の中で、図１に示されるように、送信アンテナは、PCモニタ画面100の台座104、あるいは卓上スタンド110の台座112に埋め込まれている。台座は、対称な磁界を生成する円形のワイヤループアンテナを収容するために円盤状かもしれない。このフィールドは、アンテナループの平面の中で、机の上のどんな位置でもほとんど垂直に分極される(polarized)。この実施例は、無線電力可能(wireless-power-enabled)にされたデバイスの中で統合されたアンテナループの同一平面上のオリエンテーションを好み、すなわち、最良の電力伝達装置は、受信装置中のループコイルが、送波装置中のループコイルに、十分に平行な平面の中で適応する時に得られるだろう。充電ベース(charging base)の表面は、コイルと十分に平行かもしれず、その結果、同一平面上の関係は維持されることができる。図７は、同一平面上のオペレーションがデスクトップのすべてのアイテムにまで及ぶやり方を示す。
【００１９】
この同一平面上のオリエンテーションは、例えば、キーボードへ統合されたループアンテナ、マウス装置、および、もし通常の方法にあれば携帯電話、MP3プレーヤー、PDAsなどのような他の多くの電子装置に使用されることができる。しかしながら、これは他の出願の中で使用されるかもしれない。
【００２０】
別の実施例では、図１に示されるようなデスクトップ上に１つを超える電力ベースがあるかもしれない。電力は、受信装置に接近しているベース、あるいは多数の異なるげ源(sources)から供給される。
【００２１】
それぞれの電力ベースは、高性能で高い電力伝達を可能にすることにしたがって、最も強い結合に帰着するループアンテナにデバイスを直接置くためのエリアをさらに提供するかもしれない。この接近する近接結合(close proximity coupling)は、例えば、充電するコイルに隣接する、表面105の提供によりに達成される。この実施例では、１つを超えるデバイスはそのような充電するパッド表面105に置かれるかもしれない。これは、送信することのためにより大きなコイルを許可することという他の長所を持ち、それは改善された効率をさらに提供する。
【００２２】
キーボードまたはコンピュータマウスのような長いバッテリ独立性(battery autonomy)をともなう低消費電力デバイスは、近接結合によって充電すべき電力ベースの近傍か近辺(proximity or vicinity)に置かれるかもしれない。これらのデバイス用の有効電力および伝達効率は一定距離結合のためにより低くなるだろう。しかしながら、これらのデバイスは絶えず充電され、断続的に使用されるかもしれない。従って、これらのデバイスは連続的な充電を要しない。１つの実施例では、充電の量は、多数のデバイスが単一デバイスよりシステムをより極度に負荷するかもしれないので、他のデバイスが、充電するパッドにさらに置かれる場合は、縮小されるかもしれない。
【００２３】
電力ベースの近くの磁界強度は、安全クリティカルレベル(safety critical level)未満が好適になるだろう。電力ベースは、人が接近していれば、磁界強度を自動的に縮小する関数をさらに提供するかもしれない。この関数は、赤外線またはマイクロ波の人物検出108を使用するかもしれない。これは、近接検出器、例えばユーザ接近によってアクティブにすることができるものでありえる。
【００２４】
第１の実施例は手動で近接検出器を作動させる。磁界がある状態で不快に感じる人は、関数をつける(turn on)ことができる。この関数は、人が近くにいる際の時間、近辺のデバイスに電力を受信することをさらにやめさせる場合があるだろう。これは、例えば、人の存在を検知するためのIR検知器を使用するかもしれない。
【００２５】
別の実施例は、近接検出器を常にアクティブにしておき、自動的に、関数をいつ自動的に切ってもよい。
【００２６】
コードレス電話機、デジカム(digicams)などのような他のデバイスは、充電局(charging station)に置かれるかもしれない。これは、無線電力受信機およびそのアンテナが再充電局(recharging station)の不可欠な部分になることを可能にする。充電局は、携帯機器自体以外に効率的な電力受信機を統合するためのより多くのエリアおよび／またはスペースを提供するかもしれない。例えば、これは、ここに記述されるように、電気接触をあるいは無線技術あるいは無線無給電アンテナを使用することとして使用するかもしれない。充電局それ自身は、送信機と、充電を受け取る携帯機器の間の結合を改善する電力継電器あるいは無給電アンテナとして構成されて使用されるかもしれない。
【００２７】
図１に示される実施例では、ユーザの「デスクトップ」上に多くの異なる電気的に操作されたデバイスがあるかもしれず、そしてそれは毎日仕事にユーザによって使用されるアイテムかもしれない。そのような１つのアイテムはPCのためのモニタ100である。これは、ACコンセントに接続する110V接続102によって提供される電力で作動する。
【００２８】
110V接続100は、モニタの作動の両方のために電力を供給し、モニタのベースへ統合される無線表面(wireless surface)104に電力をさらに供給する。充電するパッドは、詳細にここに記述される技術を使用するかもしれない。
【００２９】
無線近接充電は、エリア105に可能になるかもしれず、そしてそれはベースに基づいて平坦面を形成する。この実施例によれば、無線近接充電は、短距離接続に関して特に調整されてもよく、さらに、それは余分の長距離接続でさらに適切に作動するかもしれない。表面105は、107のような携帯電話およびPDAsのようなデバイスが表面に置かれるかもしれないように大きさが調整されるかもしれない。充電がエリア105のために最適化されている間に、充電は他のエリアでやはり実行される。
【００３０】
この実施例では、卓上スタンド110の一部として別の充電台がさらにある。これは、エリア113を備えた充電台112をその上に形成する。104充電ベース(the 104 charging base)でのように、充電は、磁気結合共振を使用して、114のようなアイテムのすぐ近くで近接充電を実行するために最適化される。それは、充電台から遠く離れているアイテムをさらに充電するかもしれない。
【００３１】
充電台上の114のようなアイテムを充電することに加えて、アイテムの一方または両方は、無線充電のために可能になる遠隔装置につながれる、磁気共振出力電力を引き起こす。これらの遠隔装置は、例えば、送信の同じ周波数に共振する磁気共振アンテナをそこに含むかもしれない。実施例では、これは13.56MHz、135Khz、あるいは他の周波数かもしれない。
【００３２】
充電されたデバイスは、ディジタルカメラ121、無線マウス122および無線キーボード123を含むことができる。これらのデバイスの各々は、例えば、バッテリをそこに含むことができ、それはデバイスの作動によって充電される。
【００３３】
重要な特徴は、すぐ近くの充電は高効率で実行することができ、あるいは距離充電(distance charge)は低効率で実行することができることである。
【００３４】
図２は、電力伝達システムの等価回路を示し、効率が算出されるやり方を示す。電源200部分は電源205、例えばACソケットを含む。電源205は等価損失抵抗210を有する。損失抵抗210は抵抗と電力変換損失をモデル化する。あるいは、電源は、例えば電源からの電力が他のある周波数あるいは他のある電力値に変更されるという場合における、変換エレクトロニクス(conversion electronics)のいくつかの部分を含むことができる。
【００３５】
電源205は端子(terminals)215を介してアンテナ部220に接続される。アンテナは誘導子(inductor)230および直列キャパシタンス(capacitance)235を含む。誘導子とキャパシタンスのLC定数は、源205の周波数に十分にあるために調整される。アンテナは損失抵抗値235をさらに有し、そしてそれは、内部損失、外部損失および放射損を含む送信アンテナ損失を表わす無給電値(parasitic value)である。
【００３６】
磁界250はアンテナ230の近くに生成される。これは受信機のアンテナ240に連結される。アンテナ230でのように、アンテナ240は誘導子242、コンデンサ244を含む。誘導子とコンデンサは、受け取られる受信周波数で共振する回路を形成する。
【００３７】
受信アンテナ損失は直列抵抗246によって示される。入力電力Prは端子248経由で負荷260に接続される。負荷260は、さらに直列抵抗として示された受信電力損失262をさらに含み、そしてそれはシステムの損失としてモデル化されることができる。
【００３８】
これらの損失は直列抵抗損失と同様に電力変換損失も含むことができる。
【００３９】
別のシステムは、様々な異なるシナリオ(scenarios)中の最高効率を得ることを試みることができる。例えば、１つのシナリオでは、送信アンテナは、無負荷の受信機の面前での動作周波数で共振を得るためにキャパシタンスを変更することにより調整されることができる。無負荷の受信機シナリオでは、負荷の抵抗は無限である。負荷のある受信機はこの抵抗を変更する。受信機測定は、無負荷の送信機の面前であるいは多数の送信機の場合にキャパシタンスなどを変更するために受信アンテナを調整することによって、行なわれることができる。
【００４０】
異なる値は測定されることができる。静電容量値調節は、例えば無負荷、適度に負荷のある(例えば単独負荷)、または高い負荷のあるシステムのために利用可能になりえる。異なる静電容量値は、最も高い効率値を生成するために、かつその値で作動するために動的に切り替えられることができる。
【００４１】
図３Ａ−３Ｆは、充電の異なるシナリオを示す。図３Ａは、大型の充電パッド305上の従来のPDA300を示す。実施例では、これは、直径が26cmかもしれない低周波の充電パッドかもしれない。別の実施例は、展開式のアンテナ部315を含むPDA310を使用するかもしれない。展開式のアンテナ部315は、結合効率を改善するデバイスのボデイから遠ざけて折り重ねることができるループアンテナを含むかもしれない。
【００４２】
図３Ｃは小さなパッド実施例を示し、するとそこでパッド320はPDA300と十分に同じサイズである。この実施例では、パッドは6×9cmかもしれない。図３Ｂは、このパッドが展開式の実施例と共に使用されるかもしれないやり方を示し、そしてそれは、降り蓋(flap)315がパッド320上に直接適合する。中間のパッドは、図３Ｅおよび３Ｆの中で示される。この実施例では、中型のパッド330はPDA300、あるいはその展開式の平面を備えた展開式のPDA310をその上に含む。中型のパッドはこの実施例中で直径18cmかもしれない。
【００４３】
これらのデバイスのための効率結果は図４に示され、それは、異なるサイズのパッドにどのように異なるサイズのデバイスを置くことができるかを示す。6つの状況のうちの5つには80%以上である効率がある。さらに電話の中で統合された受信機とともに大きなパッドによって生成された最低の効率は50%の転送効率があった。
【００４４】
図５Ａ−５Ｄの中で示される別の実施例は、同じパッド上で多数の受信機をすべて使用するかもしれない。パッド、特に大型および中型のパッドは、物理的に多数の異なる電話を保持することができるほど十分に大きいサイズを持つので、多数の異なるデバイスはパッド上のすべてに置かれることができる。
【００４５】
図５Ａ−５Ｄはこれらの異なる実施例を例証する。図５Ａでは、パッド305は400、402および404として示される、3台のPDA電話／デバイスをその上に含み、しかしながら、パッドはより多くまたはより少数のデバイスを含むかもしれない。
【００４６】
図５Ｂ実施例では、デバイスは、パッドに対しておよび電話のボデイから離れたその展開式の面に加えて、パッド上で各々PDAを表わすデバイス510、512および514をともなう展開式のアンテナを持つ。
【００４７】
図５Ｃは、その上の2台の電話400、402をともなう中型のパッド330をその上に示し、その上、図５Ｂは2つの展開式の510と512をともなうこの同じパッドを示す。
【００４８】
図６は、80%以上である同様のほとんどの効率をともなう、このシステムの測定された効率を示す。
【００４９】
システムηaの効率は、端子248を介して受信電力で割られた端子215を介して入力電力として算出することができる。
【００５０】
あるいはηa=Pr/Ptである。
【００５１】
図８に示される別の実施例は、エネルギー源とエネルギーシンク(sink)の間の結合を改善する無給電アンテナとして電力継電器を形成する。エネルギー源は共振アンテナ810から作られ、それは共振コンデンサと誘導子かもしれない。同じ周波数でさらに共振するかもしれない無給電アンテナ800は使用されるかもしれない。この無給電アンテナは、示されるようなデスクトップエリア820の大部分をカバーするために拡張してもよい。そのような無給電ループは、机の下に組み込まれてもよいし、デスクトップ表面に組み込まれるか、あるいは例えば、デスクマットのような平面ストラクチャーとして机の表面に持ってきてもよい。無給電デバイスは、一つで小さな有効電力ベースに励磁される(excited)ことができ、そして、そのエリアで電力を供給して充電する無線デスクトップの性能および効率を劇的に改善するために使用されることができる。
【００５２】
どれほどそれが任意の部分の集積化を必要としなくても、小さな電力ベースからの誘導の励磁は便利な解決法かもしれない。無給電アンテナがデスクトップへ非可視に統合される場合、これは特に真実になる。図８は電力ベースと受信機装置の間の結合を改善することによる大きな無給電ループを示す。無給電ループはその机表面の至る所でホットゾーン(hot zone)を提供して、全机表面をカバーすることができる。無給電アンテナは、この実施例の中で、デスクトップエリア全体への電力の受動的に循環すること(passive repeating)を提供する。
【００５３】
別の実施例の中で、同じ種類のアンテナは、送信機ユニットから直接駆動されるかもしれない。
【００５４】
一般のストラクチャーおよび技術、より一般的な目的を実行する異なる方法を達成するために使用することができる、より特殊な実施例は、ここに記述される。
【００５５】
少しの実施例しか上で詳細に開示されてこなかったけれども、他の実施例も可能であり、発明者はこれらをこの仕様の中に含まれるように意図するものである。仕様は別の方法で達成されるさらに一般的な目標を達成するために特定の例を述べている。この開示は典型的であることを意図し、そして請求項は当業者に予測可能な任意の修正または代案を含めることを意図している。
【００５６】
また、発明者は用語「ための手段（means for ）」を使用するそれらの請求項のみが３５ ＵＳＣ １１２、第６条のもとで解釈されるとすることを望む。さらに、仕様からの制限はそれらの制限が特に請求項に含まれない限りどの請求項の中に読取れるとするものではない。
【００５７】
特定の数値がここに言及されている場合、本出願の教示内にある間、いくらかの異なる範囲が特に言及されない限り、その値は２０％の増減がある。特定の論理的な意味が使用される場合、反対の論理的な意味もまた含まれると考えられる。
【図１】
2011518540.tif 000003
【図２】
2011518540.tif 000004
【図３Ａ】
2011518540.tif 000005
【図３Ｂ】
2011518540.tif 000006
【図３Ｃ】
2011518540.tif 000007
【図３Ｄ】
2011518540.tif 000008
【図３Ｅ】
2011518540.tif 000009
【図３Ｆ】
2011518540.tif 000010
【図４】
2011518540.tif 000011
【図５Ａ】
2011518540.tif 000012
【図５Ｂ】
2011518540.tif 000013
【図５Ｃ】
2011518540.tif 000014
【図５Ｄ】
2011518540.tif 000015
【図６】
2011518540.tif 000016
【図７】
2011518540.tif 000017
【図８】
2011518540.tif 000018
【国際調査報告】
2011518540.tif 000019
2011518540.tif 000020